(57)【要約】  【課題】  透水円筒モールドに透水円筒カラーを簡単に着脱させかつ確実に水密結合させるアスファルト混合物の室内透水試験器を提供する。  【解決手段】  アスファルト混合物の室内透水試験器は測定水取出し口（１）を有する越流水槽（２）と、越流口（４）を有する透水円筒カラー（５）と、供試体（ａ）を配置させる透水円筒モールド（６）と、水槽（２）の底面に配置させる支持脚（７）とから構成されている。透水円筒モールド（６）を高さ調整可能にした支持脚（７）に着脱可能に支持させ、透水円筒カラー（５）をＯリング（８）を介在させて透水円筒モールド（６）に嵌合し、固定スプリング（１１）により透水円筒カラー（５）を透水円筒モールド（６）に着脱可能に締付け固定するものである。【選択図】    図１
2009036616.tif 000002
【特許請求の範囲】
【請求項１】
測定水取出し口を有する越流水槽と、越流口を有する透水円筒カラーと、アスファルト混合物の供試体を配置させる透水円筒モールドと、越流水槽の底面に配置させる支持脚とから構成し、透水円筒モールドを高さ調整可能にした支持脚に着脱可能に支持させ、透水円筒カラーをＯリングを介在させて透水円筒モールドに嵌合し、固定スプリングにより透水円筒カラーを透水円筒モールドに着脱可能に締付け固定することを特徴とするアスファルト混合物の室内透水試験器。
【発明の詳細な説明】
【技術分野】
【０００１】
本発明はアスファルト混合物の透水性を評価するために室内で使用するアスファルト混合物の室内透水試験器に関するものである。
【背景技術】
【０００２】
舗装道路に用いられるアスファルト混合物は舗装道路に水が溜るのを防止するため透水性が大きいことが必要である。舗装道路のアスファルト混合物に対する性能評価のための試験方法は  ＪＩＳ  Ａ  １２１８  土の透水試験方法に規定され、そして透水試験を行う試験器具についてはその一例が平成１９年６月、社団法人日本道路協会、「舗装調査・試験法便覧」第（３〕−１２０頁に示されている。該舗装調査・試験法便覧に示されている透水試験器はアスファルト混合物の供試体を配置させかつ給水を流通させる多孔性底板を有する透水円筒と、該透水円筒に水密的に結合させかつ上部からの給水を越流させる越流口を備えた透水円筒カラーと、透水円筒を支持するための支持脚と、前記透水円筒と透水円筒カラーを備えた支持脚を配置させかつ透水円筒の多孔性底板から流出した給水を排出させる測定水取出し口を備えた越流水槽とから構成されている。
【０００３】
【非特許文献１】社団法人日本道路協会、平成１９年６月「舗装調査・試験法便覧」、第（3〕−１２０頁及び第〔３〕−１２１頁
【発明の開示】
【発明が解決しようとする課題】
【０００４】
従来技術の透水試験器は透水円筒に透水円筒カラーを水密的に結合させるために、透水円筒から透水円筒カラーを取り外すのに時間がかかり、次のアスファルト混合物の試験を行うのに透水円筒から透水円筒カラーを取り外すのが煩わしい作業となっており、また透水円筒カラーからの給水の注入圧力を変えることができるように水槽の測定取出し口と透水円筒カラーの越流口との高さを可変できる構造を有していない。
【０００５】
本発明の目的は透水円筒モールドに透水円筒カラーを簡単に着脱させかつ確実に水密結合させると共に透水円筒カラーの越流口と水槽の測定水取出し口との高さを可変できる構造を備えたアスファルト混合物の室内透水試験器を提供することにある。
【課題を解決するための手段】
【０００６】
本発明によるアスファルト混合物の室内透水試験器は測定水取出し口を有する越流水槽と、越流口を有する透水円筒カラーと、アスファルト混合物の供試体を配置させる透水円筒モールドと、水槽の底面に配置させる支持脚とから構成され、水槽の測定水取出し口と透水円筒カラーの越流口との高さを可変できるように高さ調整可能にした支持脚に透水円筒モールドを着脱可能に支持させ、透水円筒カラーをＯリングを介在させて透水円筒モールドに嵌合し、固定スプリングにより透水円筒カラーを透水円筒モールドに着脱可能に締付け固定したものである。
【発明の効果】
【０００７】
本発明は固定スプリングにより透水円筒カラーを透水円筒モールドに締付け固定するものであるから、透水円筒カラーと透水円筒モールドとの着脱が容易であり、またＯリングを介在させて透水円筒カラーを透水円筒モールドに固定するものであるから、漏水することのない確実な水密結合が得られ、更に支持脚に備えた高さ調整スリーブを介して透水円筒モールドを支持脚に支持させるものであるから、透水円筒カラーからの給水の注入圧力を変えることができるように水槽の測定水取出し口と透水円筒カラーの越流口との高さを簡単に可変調整することができる。
【発明を実施するための最良の形態】
【０００８】
図示した本発明のアスファルト混合物の室内透水試験器は測定水取出し口１を有する越流水槽２と、越流口４を有する透明アクリル材製の透水円筒カラー５と、該透水円筒カラー５を水密的に結合させかつアスファルト混合物の供試体ａを配置させるステンレス製の透水円筒モールド６と、該透水円筒モールド６を支持すると共に越流水槽２の底面に配置させる支持脚７とを有している。
【０００９】
透水円筒カラー５にはその底部にＯリング８を内装したアクリル材製のカラー底板９を取付け、該カラー底板９を有する透水円筒カラー５は透水円筒モールド６と同じ内径を有し、カラー底板９をＯリング８を介して透水円筒モールド６の上端に嵌合させ、内周面を面一にして透水円筒モールド６と水密的に結合するようにしてある。透水円筒カラー５のカラー底板９はその外周に一定間隔に配置させた３つの突出片１０を突設させ、各突出片１０の上面にはナイロン製チューブで被覆した固定スプリング１１の円形端部が係合する係合凹部１２を刻設してある。
【００１０】
透水円筒モールド６はその底部にステンレス製のモールド底板１３を取付け、モールド底板１３には供試体ａを支持しかつ給水を流出するためにその底部に多数の孔を穿設した多孔板を備えるか又は金網を取付けてある。透水円筒モールド６のモールド底板１３はその外周に一定間隔に配置した３つの切欠部１４と３つの係合孔１５をそれぞれ形成し、各切欠部１４にはボルト１６で固定スプリング１１の一端をモールド底板１３に回動可能に取付けてある。固定スプリング１１はモールド底板１３に取付けた一端を中心に回動させ、その他端の円形端部をカラー底板９に刻設した係合凹部１２に係合させることにより、透水円筒モールド６に嵌合させた透水円筒カラー５を締付けて水密的に固定させることができ、また固定スプリング１１の円形端部に指を挿入して固定方向と反対の方向に引張り、固定スプリング１１の円形端部をカラー底板９の係合凹部１２から離脱するように固定スプリング１１を回動させてカラー底板９から取り外すことにより透水円筒カラー５を透水円筒モールド６から簡単に取り外すことができる。モールド底板１３に形成した係合孔１５には支持脚７に備えた目盛付き脚部材１７を挿入させ、支持脚７が透水円筒モールド６を所定の高さに支持できるようになっている。
【００１１】
支持脚７はリング状の定盤１８と、該定盤１８に一定間隔に取付けた３つの目盛付き脚部材１７と、各目盛付き脚部材１７に嵌合させた高さ調整スリーブ１９とから構成され、各調整スリーブ１９をボルト２０により各目盛付き脚部材１７の目盛に合せて所定位置に固定させ、該脚部材１７を透水円筒モールド６のモールド底板１４に形成した係合孔１５に嵌挿し、調整スリーブ１９により透水円筒モールド６を支持脚７の目盛付き脚部材１７に支持させることにより、透水円筒モールド６を高さ調整可能に支持脚７に固定することができ、それにより透水円筒カラー５からの給水の注入圧力を変えることができるように水槽２の測定水取出し口１と透水円筒カラー５の越流口４との高さを可変調整することができる。
【図面の簡単な説明】
【００１２】
【図１】本発明による透水試験器の透水円筒カラーを取付けた状態を示す一部縦断正面図である。
【図２】図１の平面図である。
【符号の説明】
【００１３】
１          測定水取出し口
２          越流水槽
４          越流口
５          透水円筒カラー
６          透水円筒モールド
７          支持脚
８          Ｏリング
９          カラー底板
１０        突出片
１１        固定スプリング
１２        係合凹部
１３        モールド底板
１４        切欠部
１５        係合孔
１６        ボルト
１７        目盛付き脚部材
１８        定盤
１９        高さ調整スリーブ
２０        ボルト
【図１】
2009036616.tif 000003
【図２】
2009036616.tif 000004